(57)【特許請求の範囲】
【請求項１】
表示パネルに表示されているロック画面に対して、ユーザが行う所定の入力操作を検出する入力操作検出部と、
上記入力操作検出部が検出した上記所定の入力操作に基づいて、上記表示パネルに表示される画面を、上記ロック画面から、上記ロック画面の背景画像を設定する設定画面へユーザを案内する案内画面に切り替えるべき条件である案内画面切替条件が充足されているか否かを判定する切替判定部と、
上記切替判定部が、上記案内画面切替条件が充足されていると判定した場合に、上記案内画面を上記表示パネルに表示させる案内画面表示部と、を備えていることを特徴とする表示制御装置。
【請求項２】
上記ロック画面の上記背景画像には、複数の壁紙が設定されており、
上記複数の壁紙は、上記入力操作検出部により上記所定の入力操作が検出される毎に、切り替えられるようになっており、
上記表示パネルが消灯している状態から点灯している状態に移行した後において、上記ロック画面の上記背景画像として設定されている上記壁紙の全てが、上記表示パネルに表示された場合に、上記切替判定部は、上記案内画面切替条件が充足されていると判定することを特徴とする請求項１に記載の表示制御装置。
【請求項３】
上記ロック画面の上記背景画像には、複数の壁紙が設定されており、
上記複数の壁紙は、上記入力操作検出部により上記所定の入力操作が検出される毎に、切り替えられるようになっており、
上記表示パネルが消灯している状態から点灯している状態に移行した後において、上記入力操作検出部により検出される上記所定の入力操作に応じて、上記表示パネルに表示される上記ロック画面の上記壁紙の枚数をカウントするカウント部をさらに備え、
上記カウント部によりカウントされたカウント数が、所定の数以上となる場合に、上記切替判定部は、上記案内画面切替条件が充足されていると判定することを特徴とする請求項１に記載の表示制御装置。
【請求項４】
上記入力操作検出部により検出される上記所定の入力操作は、上記表示パネルに表示されている上記ロック画面をめくることを示す操作であることを特徴とする請求項１から３のいずれか１項に記載の表示制御装置。
【請求項５】
表示パネルに表示されているロック画面に対して、ユーザが行う所定の入力操作を検出する入力操作検出ステップと、
上記入力操作検出ステップにて検出された上記所定の入力操作に基づいて、上記表示パネルに表示される画面を、上記ロック画面から、上記ロック画面の背景画像を設定する設定画面へユーザを案内する案内画面に切り替えるべき条件である案内画面切替条件が充足されているか否かを判定する切替判定ステップと、
上記切替判定ステップにて上記案内画面切替条件が充足されていると判定された場合に、上記案内画面を上記表示パネルに表示させる案内画面表示ステップと、を含むことを特徴とする表示制御方法。
【発明の詳細な説明】
【技術分野】
【０００１】
本発明は、表示パネルに表示する画面を制御する表示制御装置、表示制御方法、携帯端末および表示制御プログラムに関する。
【背景技術】
【０００２】
タッチパネルを備えている携帯電話機などの携帯端末には、画面が消灯しているスリープ状態から復帰した際に表示されるロック画面が存在する。ロック画面は、未使用時の誤動作を防止することを目的とした画面であり、通常、ロック解除を示す操作と異なるユーザ操作を受け付けない構成となっている。そこで、ユーザの利便性を高めるために、従来から、ロック画面が表示されている状態において、ホーム画面に表示するアプリケーションを起動させる技術が知られている。
【０００３】
例えば、特許文献１には、ロック解除アイコンをメールアプリケーションに対応する解除アイコンにスライドさせる解除操作がされると、ロック状態が解除されると共に、メールアプリケーションが実行される技術が開示されている。また、非特許文献１には、ロック画面の背景画像として設定されている壁紙を変更する方法について、ロック画面のロックを解除した後、ホーム画面に表示されている壁紙設定を選択し、ロック画面の壁紙の設定を変更する技術が開示されている。
【先行技術文献】
【特許文献】
【０００４】
【特許文献１】特開２０１４‐９９０７１号公報（２０１４年５月２９日公開）
【特許文献２】特開２０１３‐２２８９５３号公報（２０１３年１１月７日公開）
【特許文献３】特開２０１３‐１３４６９５号公報（２０１３年７月８日公開）
【非特許文献１】ディスプレイ、［online］、ウェルカムシート（ロック画面）の壁紙を設定したい、［2014年10月1日検索］、インターネット＜URL：http://k-tai.sharp.co.jp/support/d/sh-01e/faq.html?ac_faq_content&bc=3&sc=8&id=26349＞
【発明の概要】
【発明が解決しようとする課題】
【０００５】
しかしながら、上記特許文献１には、ロック画面の背景画像として設定されている壁紙を変更することについて開示されていない。また、上記非特許文献１では、設定変更する壁紙は、ロック画面の壁紙またはホーム画面の壁紙の何れかであるのかが、ユーザにとって判りにくいという問題がある。
【０００６】
本発明は、上記の問題点に鑑みてなされたものであって、その目的は、ユーザがロック画面に対して入力操作を行うことにより、ロック画面の壁紙の設定を変更することが可能となる表示制御置等を提供することにある。
【課題を解決するための手段】
【０００７】
上記の課題を解決するために、本発明の一態様に係る表示制御装置は、表示パネルに表示されているロック画面に対して、ユーザが行う所定の入力操作を検出する入力操作検出部と、上記入力操作検出部が検出した上記所定の入力操作に基づいて、上記表示パネルに表示される画面を、上記ロック画面から、上記ロック画面の背景画像を設定する設定画面へユーザを案内する案内画面に切り替えるべき条件である案内画面切替条件が充足されているか否かを判定する切替判定部と、上記切替判定部が、上記案内画面切替条件が充足されていると判定した場合に、上記案内画面を上記表示パネルに表示させる案内画面表示部と、を備えていることを特徴とする。
【発明の効果】
【０００８】
本発明の一態様によれば、ユーザは、ロック画面に対して入力操作を行うことにより、ロック画面の壁紙の設定を変更することが可能となる。
【図面の簡単な説明】
【０００９】
【図１】本発明に係る携帯端末の要部構成を示すブロック図である。
【図２】上記携帯端末の表示パネルに表示されたロック画面の一例を示す図である。
【図３】実施形態１における表示パネルの遷移例を示す図である。
【図４】本発明に係る表示制御装置によって、ロック画面の壁紙設定画面が表示される処理の一例を示すフローチャートである。
【図５】スリープ状態から復帰した携帯端末における表示パネルの遷移例を示す図である。
【図６】本発明に係る表示制御装置によって、ロック画面の壁紙設定画面が表示される別の処理の一例を示すフローチャートである。
【図７】（ａ）は、左フリックに応じた処理の一例を示すフローチャートである。（ｂ）は、右フリックに応じた処理の一例を示すフローチャートである。
【図８】実施形態２における表示パネルの遷移例を示す図である。
【発明を実施するための形態】
【００１０】
〔実施形態１〕
以下、本発明の実施の形態について、図１〜図５に基づいて説明する。以下の説明では、携帯端末１０を、タッチパネルを備えている携帯電話機として説明するが、これに限らない。携帯端末１０は、各種情報を表示する表示パネルと、入力操作を検知するセンサとを備えていればよく、例えば、タッチパネルを備えている携帯電話機、タッチパネルを備えている携帯型パーソナルコンピュータ、タッチパネルを備えていない携帯電話機、タッチパネルを備えていない携帯型パーソナルコンピュータである。
【００１１】
（ロック画面）  図２は、携帯端末１０の表示パネルに表示されたロック画面の一例を示す図である。ロック画面は、未使用時の誤動作を防止することを目的とした画面であり、スリープ状態から復帰した際に表示される。また、ロック画面は、様々なアプリケーションを実行することが可能なホーム画面に遷移するための特定の操作を受ける構成となっている。
【００１２】
本実施形態において、携帯端末１０の表示パネルをタッチパネルとして説明するが、当該表示パネルはタッチパネルに限定しない。例えば、携帯端末１０は、タッチパネルを備えていない携帯電話機であってもよく、各種情報を表示する表示装置と、入力操作を検知するセンサとが別に構成されていてもよい。
【００１３】
図２に示すように、表示パネルの上方には、携帯端末１０における現在のステータス情報をアイコン等で表示するステータス表示エリア２１があり、表示パネルの下方には、ロック画面におけるロック解除の操作を受け付けるロック解除エリア２３、および現在の時刻情報を表示する時刻表示エリア２４がある。また、ステータス表示エリア２１と、ロック解除エリア２３および時刻表示エリア２４との間には、ロック画面の背景画像として設定されている壁紙を表示する壁紙表示エリア２２がある。通常、ロック画面の背景画像として、複数の壁紙が設定可能であり、複数の壁紙は、ユーザの所定の操作（例えば、フリック）に応じて切り替えられるようになっている。また、以下の説明において、例えば、ロック画面の背景画像として１枚目に設定された壁紙を、１枚目の壁紙と称する。
【００１４】
（実施形態１の概要）  実施形態１の概要について説明する。本実施形態では、横フリック（左右フリック）を検出する毎に、ロック画面の壁紙が設定順に切り替わる構成である。横フリックとは、表示パネルを指で押してから、右から左に（または左から右に）さっとはじくように動かす操作を意味する。検出される横フリックは、フリックの方向が横であればよいものとする。また、ロック画面の壁紙を設定順に切り替えるトリガは、横フリックに限定されなくてもよく、例えば、横スワイプであってもよい。横スワイプとは、表示パネルを指で押した状態で、右から左（または左から右）の方向へ動かす操作を意味する。なお、携帯端末１０がタッチパネルを備えていない電子機器（携帯電話機、携帯型パーソナルコンピュータ）である場合、例えば、左右キーの押下を検出する毎に、ロック画面の壁紙が設定順に切り替わる構成とする。
【００１５】
図３は、実施形態１における表示パネルの遷移例を示す図である。図３において、ロック画面の背景画像として設定された壁紙の枚数は、５枚として説明する。まず、表示パネルには１枚目の壁紙（最初の壁紙）が表示されており、ロック画面に対してユーザによる横フリックが検出されると（図３の（ａ））、表示パネルには２枚目の壁紙が表示される（図３の（ｂ））。同様に、横フリックが検出される毎に、表示パネルには、３枚目、４枚目および５枚目の壁紙が設定順に順次表示される（図３の（ｃ）〜（ｅ））。
【００１６】
更に、５枚目の壁紙（最後の壁紙）が表示されている状態で、ロック画面に対してユーザによる横フリックが検出されると（図３の（ｅ））、ロック画面の壁紙の代わりに、ロック画面の背景画像としての壁紙を設定する設定画面へユーザを案内する案内画面が表示される（図３の（ｆ））。なお、案内画面は、図３の（ｆ）に示すように、壁紙設定を連想させる絵であってもよいし、一般的な風景写真やスパナをモチーフにした絵であってもよい。
【００１７】
図３の（ｆ）に示す案内画面において“壁紙を設定”ボタン（または“壁紙を設定”領域）が選択されると、ロック画面の背景画像としての壁紙を設定する設定画面が表示される（図３の（ｈ））。一方、図３の（ｆ）に示す案内画面に対してユーザによる横フリックが検出されると、表示パネルには図３の（ａ）に示した最初の壁紙（１枚目の壁紙）が表示される（図３の（ｇ））。
【００１８】
（携帯端末の要部構成）  図１は、本発明に係る携帯端末の要部構成を示すブロック図である。図１に示すように、携帯端末１０は、表示制御部１（表示制御装置）、センサ１１、表示パネル１２、および記憶部１３を備えている。表示制御部１は、センサ１１の検知結果に基づいて、表示パネル１２に表示する画像を制御するものである。
【００１９】
センサ１１は、ユーザによる入力操作を検知するものである。表示パネル１２は、表示制御部１から通知される各種情報を表示するものであり、例えば、液晶ディスプレイまたは有機ＥＬ（electroluminescence）ディスプレイ等で構成される。また、例えば、携帯端末１０がタッチパネルを備える場合、センサ１１と表示パネル１２とは一体に構成され、センサ１１は、表示パネル１２上に取り付けてある感圧式や静電式の透明センサで構成される。また、例えば、センサ１１と表示パネル１２とは別に構成される場合、センサ１１は、位置入力機能を有するタッチパッド、またはボタンの押下を検知するもので構成される。
【００２０】
記憶部１３は、携帯端末１０が使用する各種情報を記憶するものであり、例えばＲＡＭ、またはフラッシュメモリ等で構成してもよい。また、記憶部１３は、設定壁紙記憶領域１３ａ、表示壁紙枚数記憶領域１３ｂ、および表示壁紙記憶領域１３ｃを有する。
【００２１】
設定壁紙記憶領域１３ａには、表示パネル１２に表示するロック画面背景画像として設定された壁紙Ｗｉ（ｉ＝１，２，３，…，Ｎ）が格納されている。壁紙Ｗｉは、ロック画面の背景画像としてｉ番目に設定された壁紙である。Ｎは、ロック画面の背景画像として設定されている壁紙の総数である。
【００２２】
表示壁紙枚数記憶領域１３ｂには、表示パネル１２に表示された壁紙の表示枚数Ｃが記憶される。表示枚数（カウンタ）Ｃは、ロック画面に表示される壁紙が切替わる毎に、更新される（＋１ずつインクリメントされる）。表示壁紙記憶領域１３ｃには、表示された壁紙の設定番号を重複せずに記憶する配列としてＳ（ｊ）が記憶される。ＣおよびＳ（ｊ）の利用については、各々図４および図６〜７にて後述する。
【００２３】
（表示制御装置の要部構成）  図１に示すように、表示制御部１は、入力操作検出部２、切替判定部３、表示部４、およびカウント部５を備えている。
【００２４】
入力操作検出部２は、表示パネル１２に表示されているロック画面に対して、ユーザが行う所定の入力操作を検出する。所定の入力操作は、表示パネル１２に表示されているロック画面をめくることを示す操作であり、例えば、左右フリック、左右スワイプ、上下フリック、上下スワイプ等である。
【００２５】
切替判定部３は、入力操作検出部２が検出した所定の入力操作に基づいて、表示パネル１２に表示される画面を、ロック画面から、ロック画面の背景画像を設定する設定画面へユーザを案内する案内画面に切り替えるべき条件である案内画面切替条件が充足されているか否かを判定する。案内画面切替条件とは、例えば、表示パネル１２が消灯している状態から点灯している状態に移行した後における条件であり、ロック画面の背景画像として設定されている壁紙の全てが表示パネル１２に表示されること、または、表示パネル１２に表示されるロック画面の壁紙の枚数が、ロック画面の背景画像として設定されている壁紙の総数以上となること、などである。
【００２６】
表示部４は、切替判定部３の通知に応じて、表示パネル１２に各種情報を表示させるものであり、ロック画面表示部４１、案内画面表示部４２および設定画面表示部４３を備えている。ロック画面表示部４１は、設定壁紙記憶領域１３ａに格納されている壁紙Ｗｉを背景画像とするロック画面を表示パネル１２に表示するものである。表示する壁紙Ｗｉは、切替判定部３により決定される。案内画面表示部４２は、ロック画面の背景画像としての壁紙を設定する設定画面へユーザを案内する案内画面を、表示パネル１２に表示するものである。設定画面表示部４３は、ロック画面の背景画像としての壁紙を設定する設定画面を、ロックを解除してから、表示パネル１２に表示するものである。
【００２７】
カウント部５は、表示パネル１２が消灯している状態から点灯している状態に移行した後において、入力操作検出部２により検出される入力操作に応じて（切替判定部３の通知に応じて）、カウントを行うものである。例えば、カウント部５は、表示パネル１２に表示されるロック画面の壁紙の枚数Ｃをカウントする。また例えば、カウント部５は、表示された壁紙の設定番号を重複せずに記憶する配列としてＳ（ｊ）を表示壁紙記憶領域１３ｃ記憶し、ロック画面の背景画像として設定されている全ての壁紙のうち、表示された壁紙の枚数をカウントする。なお、表示枚数Ｃのカウント方法、および配列Ｓ（ｊ）を用いたカウント方法については、各々図４および図６〜図７にて説明する。
【００２８】
（表示制御装置の動作例）  図４は、本発明に係る表示制御部１によって、ロック画面の壁紙設定画面が表示される処理の一例を示すフローチャートである。本実施形態では、横フリックを検出する毎に、ロック画面の壁紙を設定順に切り替える構成であり、案内画面切替条件は、表示された壁紙の枚数が壁紙に設定されている総枚数以上となることとする。検出される横フリックは、フリックの方向が横であればよいものとする。以下の説明において、Ｃは、表示パネル１２に表示された壁紙の表示枚数であり、Ｗｉは、ロック画面の背景画像としてｉ番目に設定された壁紙であり、Ｎは、ロック画面の背景画像として設定されている壁紙の総数である。
【００２９】
表示パネル１２が消灯しているスリープ状態（ＯＦＦ状態）で、入力操作検出部２により携帯端末１０に対する入力操作が検出されると（Ｓ１にてＹＥＳ、入力操作検出ステップ）、切替判定部３は、カウント部５に通知し、カウント部５はカウンタＣを初期化（Ｃ＝０）する（Ｓ２）。また、Ｓ１にてＹＥＳの場合、切替判定部３は、ロック画面表示部４１に通知し、ロック画面表示部４１は、ｉ番目の壁紙Ｗｉを背景画像とするロック画面を表示パネル１２に表示する（Ｓ３）。Ｓ３の後、カウント部５は、カウンタＣを１つインクリメント（＋１）し、表示壁紙枚数記憶領域１３ｂに一時的に記憶させる（Ｓ４）。
【００３０】
なお、Ｓ３にて表示される壁紙Ｗｉは、任意の壁紙であり、例えば、１番目の壁紙Ｗ１であってもよい。この点の詳細については、図５にて後述する。
【００３１】
次に、ロック画面が表示されている状態（Ｓ３）で、入力操作検出部２によりロック画面に対する左右フリック（横フリック）が検出されると（Ｓ５にてＹＥＳ）、切替判定部３は、表示壁紙枚数記憶領域１３ｂに記憶されているカウンタＣと、設定壁紙記憶領域１３ａに格納されている壁紙Ｗｉの総枚数Ｎとを比較する（Ｓ６）。カウンタＣが、壁紙Ｗｉの総枚数Ｎ以上である場合（Ｓ６にてＹＥＳ）、切替判定部３は、案内画面切替条件が充足されていると判定する（切替判定ステップ）。そして、案内画面表示部４２は、表示パネル１２に案内画面を表示する（Ｓ７、案内画面表示ステップ）。
【００３２】
一方、カウンタＣが、壁紙Ｗｉの総枚数Ｎ未満である場合（Ｓ６にてＮＯ）、切替判定部３は、案内画面切替条件が充足されていない判定し、ロック画面の背景画像として表示されている壁紙Ｗｉの設定番号ｉと、壁紙Ｗｉの総枚数Ｎとを比較する（Ｓ１１）。番号ｉが総枚数Ｎ未満である場合（Ｓ１１にてＹＥＳ）、切替判定部３は、番号ｉを１つインクリメント（＋１）し、ロック画面表示部４１にする（Ｓ１２）。そして、ロック画面表示部４１は、表示されているロック画面の壁紙を、Ｓ１２にてインクリメントされた番号ｉの壁紙Ｗｉに切り替えて、ロック画面を表示する（Ｓ１３）。番号ｉが総枚数Ｎ以上である場合（Ｓ１１にてＮＯ）、切替判定部３は、Ｓ３にて表示されている壁紙Ｗｉの設定番号ｉを初期化（ｉ＝０）し（Ｓ１４）、Ｓ１２以降の処理に移行する。また、Ｓ１３の後は、Ｓ４以降の処理を繰り返す。
【００３３】
そして、案内画面が表示されている状態（Ｓ７）で、入力操作検出部２により検出された操作が、案内画面に対する左右フリック（横フリック）である場合（Ｓ８にてＹＥＳ）、Ｓ２以降の処理を繰り返す。一方、入力操作検出部２により検出された操作が、案内画面に対する左右フリック（横フリック）ではなく（Ｓ８にてＮＯ）、壁紙設定画面を表示することを示す操作である場合（Ｓ９にてＹＥＳ）、切替判定部３は設定画面表示部４３に通知し、設定画面表示部４３は、ロック画面のロックを解除して、表示パネル１２に設定画面を表示する（Ｓ１０）。
【００３４】
（効果）  上記の構成によれば、ロック画面のロックを解除して、ホーム画面に表示される各種項目の中からロック画面の壁紙を設定する設定画面を選択する必要がない。それゆえ、ロック画面の壁紙の設定を変更する操作は、簡易かつユーザにとって判りやすいものとなる。特に、シニアユーザにとって判りやすいのとなる。さらに、ロック画面では各種アイコンが表示されないため、未使用時の誤動作を防止するとともに、背景画像の壁紙を美しく表示できる。
【００３５】
一般に、変更したいとユーザが思っている項目は、それ（当該項目）が表示されている画面で直接変更できるのが自然かつ直観的に判りやすいユーザインタフェースと言える。上記の構成によれば、変更したいとユーザが思っている壁紙は、それ（当該壁紙）が表示されている画面（ロック画面）で変更できることになり、自然かつ直観的に判りやすいユーザインタフェースが構成できる。
【００３６】
また、上記構成によれば、ユーザは、ロック画面の背景画像として設定された全ての壁紙を確認した後に、ロック画面の壁紙の設定を変更することが可能となる。それゆえ、壁紙が一巡したことが判りやすくなり、ユーザにとって利便性が高いという効果を奏する。
【００３７】
また、上記構成によれば、ロック画面をめくることを示す操作に応じて、ロック画面から案内画面への表示に切り替わる。このため、ユーザは、ロック画面の壁紙を確認する操作の延長線上で（直感的に）、ロック画面の壁紙の設定を変更することが可能となる。
【００３８】
（スリープ状態からの動作例）  図５は、スリープ状態から復帰した携帯端末における表示パネルの遷移例を示す図である。図５において、ロック画面の背景画像として設定された壁紙の総数は５（Ｎ＝５）として説明する。図５の（ａ）〜（ｃ）に示すように、横フリックが検出される毎に、表示パネルには、１枚目、２枚目および３枚目の壁紙が順次表示されている。
【００３９】
携帯端末に対する入力操作が一定時間検出されない場合など、携帯端末はスリープ状態となり、表示パネルは消灯する（図５の（ｄ））。そして、携帯端末がスリープ状態にあり、携帯端末に対する入力操作が検出されると、携帯端末は、スリープ状態から、携帯端末の各種機能が実行可能な通常状態に移行し（カウンタＣ＝０）、任意の壁紙を背景画像とするロック画面が表示パネルに表示される（カウンタＣ＝１）。
【００４０】
任意の壁紙とは、１番目の壁紙であってもよいし、携帯端末がスリープ状態となる直前に表示していた壁紙であってもよいし、予め設定された壁紙であってもよい。例えば、図５の（ｃ）〜（ｅ）では、携帯端末がスリープ状態となる直前に表示していた３枚目の壁紙（図５の（ｃ））と同一の壁紙が、携帯端末がスリープ状態から復帰した後に表示されている（図５の（ｅ））。
【００４１】
図５の（ｆ）〜（ｉ）に示すように、横フリックが検出される毎に、表示パネルには、４枚目、５枚目、１枚目、２枚目の壁紙が順次表示される。そして、カウンタＣは、壁紙が切替わる毎に、２、３、４、５と順次更新される。更に、２枚目の壁紙が表示されている状態（カウンタＣ＝５）で、ロック画面に対してユーザによる横フリックが検出されると、ロック画面の壁紙の代わりに案内画面が表示される（図５の（ｊ））。図５の（ｊ）に示す案内画面において“壁紙を設定”領域（またはボタン）が選択されると、ロック画面の背景画像としての壁紙を設定する設定画面が表示される（図５の（ｋ））。
【００４２】
なお、図５の（ｊ）に示す案内画面に対してユーザによる横フリックが検出されると、最初に戻って、携帯端末がスリープ状態から復帰した後において最初に表示された壁紙（図５の（ｅ））を背景画像とするロック画面が表示パネルに表示される。
【００４３】
〔変形例〕
実施形態１の変形例について説明する。実施形態１では、案内画面切替条件を、表示された壁紙の枚数が壁紙に設定されている総枚数以上となることとして説明したが、これに限定しない。例えば、ロック画面の背景画像として設定されている壁紙の総数とは異なる数（所定の数）の壁紙が表示された場合に、案内画面を表示する構成であってもよい。また、例えば、ロック画面の壁紙を切り替えることを示す操作とは異なる操作であり、ロック画面から案内画面に切り替えることを示す操作（携帯端末が検知可能な操作のうち、他の動作に対応した操作として設定されていない操作）が、検出された場合に、無条件で案内画面を表示する構成であってもよい。また、ロック画面の壁紙の切り替えは、設定順でもよいし、設定とは逆順でもよいこととする。
【００４４】
上記の構成によれば、ユーザの好みに応じて、ロック画面から案内画面を表示する構成とすることが可能となる。それゆえ、未使用時の誤動作を防止しつつ、ユーザにとって利便性の高い構成が実現可能となる。
【００４５】
〔実施形態２〕
本発明の他の実施形態について、図６〜図８に基づいて説明する。なお、説明の便宜上、前記実施形態にて説明した部材と同じ機能を有する部材については、同じ符号を付記し、その説明を省略する。
【００４６】
（実施形態２の概要）  実施形態２の概要について説明する。本実施形態では、横フリックの向きに応じて、ロック画面の壁紙が切り替わる構成である。本実施形態の案内画面切替条件は、ロック画面の背景画像として設定された壁紙が全て表示されることである。
【００４７】
なお、以下の説明において、右フリックは、左から右への方向のフリックとし、左フリックは、右から左への方向のフリックとする。また、ロック画面の壁紙を切り替えるトリガは、フリックに限定されなくてもよく、例えば、スワイプであってもよい。
【００４８】
図８は、実施形態２における表示パネルの遷移例を示す図である。図８において、ロック画面の背景画像として設定された壁紙の枚数は、５枚として説明する。また、左フリックが検出される場合に、壁紙が設定順に切り替わり、右フリックが検出される場合に、壁紙が設定順とは逆の順序で切り替わる設定とする。なお、右フリックが検出される場合に、壁紙が設定順に切り替わり、左フリックが検出される場合に、壁紙が設定順とは逆の順序で切り替わる設定としてもよい。
【００４９】
まず、表示パネルには１枚目の壁紙が表示されており、ロック画面に対してユーザによる左フリックが検出されると（図８の（ａ））、表示パネルには２枚目の壁紙が表示される（図８の（ｂ））。２枚目の壁紙を背景画像とするロック画面に対してユーザによる右フリックが検出されると（図８の（ｂ））、表示パネルには、図８の（ａ）にて示した１枚目の壁紙が、再び表示される（図８の（ｃ））。同様に、右フリックが検出される毎に、表示パネルには、５枚目、４枚目および３枚目の壁紙が、設定順とは逆の順序で順次表示される（図８の（ｄ）〜（ｆ））。更に、３枚目の壁紙が表示されている状態で、ロック画面に対してユーザによる右フリックが検出されると（図８の（ｆ））、ロック画面の壁紙の代わりに案内画面が表示される（図８の（ｇ））。
【００５０】
図８の（ｇ）に示す案内画面において“壁紙を設定”領域（またはボタン）が選択されると、ロック画面の背景画像としての壁紙を設定する設定画面が表示される（図８の（ｉ））。一方、図８の（ｇ）に示す案内画面に対してユーザによる左フリックが検出されると、表示パネルには任意の壁紙が表示される。例えば、図８の（ｈ）では、最初に戻って、携帯端末がスリープ状態から復帰した後において最初に表示された壁紙（図８の（a））と同一の壁紙が表示される。なお、図８の（ｇ）から図８の（ｈ）に画面を遷移させるトリガ（フリック）向きが左右の何れであっても、最初に表示された壁紙と同一の壁紙が表示される構成であってもよい。あるいは、トリガ（フリック）の向きによって図８の（ｇ）の次に表示する壁紙を変える構成であってもよい。すなわち、左フリックが検出されると最初に戻って、携帯端末がスリープ状態から復帰した後において最初に表示された壁紙（これをｉ番目の壁紙とする）表示し、右フリックが検出されるとｉ−１番目（ｉ＝１のときはＮ番目とする）の壁紙を表示するのである。
【００５１】
（表示制御装置の別の動作例）  図６は、本発明に係る表示制御部１によって、ロック画面の壁紙設定画面が表示される別の処理の一例を示すフローチャートである。以下の説明において、Ｓ（ｊ）は、表示された壁紙の設定番号を重複せずに記憶する配列であり、Ｗｉは、ロック画面の背景画像としてｉ番目に設定された壁紙である。
【００５２】
表示パネル１２が消灯しているスリープ状態（ＯＦＦ状態）で、入力操作検出部２により携帯端末１０に対する入力操作が検出されると（Ｓ２１にてＹＥＳ、入力操作検出ステップ）、切替判定部３は、カウント部５に通知し、カウント部５はインデックスを初期化（Ｓ（ｊ）＝φ（ｊ＝１，２，３，…，Ｎ）、ｊ＝１）する（Ｓ２２）。また、Ｓ２１にてＹＥＳの場合、切替判定部３は、ロック画面表示部４１に通知し、ロック画面表示部４１は、ｉ番目の壁紙Ｗｉを背景画像とするロック画面を表示パネル１２に表示する（Ｓ２３）。Ｓ２３の後、切替判定部３は、Ｓ（１）からＳ（ｊ）までにおいて、表示しているロック画面の壁紙Ｗｉの番号ｉが存在しているか否かを判定する（Ｓ２４）。
【００５３】
切替判定部３が、Ｓ（１）からＳ（ｊ）までにおいて、表示しているロック画面の壁紙Ｗｉに対応する番号ｉが存在していないと判定する場合（Ｓ２４にてＮＯ）、カウント部５は、ロック画面の背景画像として表示している壁紙Ｗｉの番号ｉをＳ（ｊ）に代入し、表示壁紙記憶領域１３ｃに保存する（Ｓ２５）。そして、カウント部５は、インデックスｊをインクリメント（＋１）する（Ｓ２６）。一方、Ｓ２４にてＹＥＳの場合、Ｓ２７の処理に移行する。
【００５４】
なお、Ｓ２３にて表示される壁紙Ｗｉは、任意の壁紙であり、例えば、１番目の壁紙Ｗ１であってもよい。この点の詳細については、実施形態１に上述した内容と同様とする。
【００５５】
次に、ロック画面が表示されている状態（Ｓ２３）で、入力操作検出部２によりロック画面に対する左フリックまたは右フリックが検出されると（Ｓ２７にてＹＥＳ）、切替判定部３は、表示壁紙記憶領域１３ｃのＳ（Ｎ）がφ（空）であるか否かを判定する。Ｓ（Ｎ）＝φでない場合（Ｓ２８にてＮＯ）、切替判定部３は、全ての種類の壁紙Ｗｉが表示されたと判定し、案内画面切替条件が充足されていると判定する（切替判定ステップ）。そして、案内画面表示部４２は、表示パネル１２に案内画面を表示する（Ｓ２９、案内画面表示ステップ）。
【００５６】
一方、Ｓ（Ｎ）＝φである場合（Ｓ２８にてＹＥＳ）、切替判定部３は、案内画面切替条件が充足されていない判定し、Ｓ２７にて検出されたフリックの方向に応じた処理が行われる（Ｓ３３）。Ｓ３３の具体的な処理については、図７にて後述する。
【００５７】
そして、案内画面が表示されている状態（Ｓ２９）で、入力操作検出部２により検出された操作が、案内画面に対する左フリックまたは右フリックである場合（Ｓ３０にてＹＥＳ）、Ｓ２２以降の処理を繰り返す。なお、Ｓ３０にてＹＥＳの場合に実行されるＳ２３の処理について、フリックの向きが左右の何れであっても、最初に表示された壁紙と同一の壁紙（ｉ番目の壁紙Ｗｉ）が表示されるものとする（図８の（ｈ）参照）。また、フリックの向きが右の場合においてはｉ−１番目（ｉ＝１のときはＮ番目とする）の壁紙Ｗｉ−１が表示される設定としてもよい（不図示）。
【００５８】
一方、入力操作検出部２により検出された操作が、案内画面に対する左フリックまたは右フリックではなく（Ｓ３０にてＮＯ）、壁紙設定画面を表示することを示す操作である場合（Ｓ３１にてＹＥＳ）、切替判定部３は、設定画面表示部４３に通知する。そして、設定画面表示部４３は、ロック画面のロックを解除して、表示パネル１２に設定画面を表示する（Ｓ３２）。
【００５９】
例えば、図８の（ａ）においてＳ（１）＝１であり、１番目に表示された壁紙の設定番号として、Ｗ１に対応する番号１が記憶される（図６におけるＳ２５）。同様に、図８の（ｂ）において、Ｓ（２）＝２である。また、図８の（ｃ）においては、Ｓ（３）に壁紙Ｗ１の番号１を代入しない（図６におけるＳ２４にてＹＥＳ）。そして、図８の（ｄ）において、異なる設定番号の壁紙が表示されたのが３番目であるため、３番目に表示された壁紙の設定番号として、Ｗ５に対応する番号５が記憶される（Ｓ（３）＝５）。同様に、図８の（ｅ）ではＳ（４）＝４、図８の（ｆ）ではＳ（５）＝３である。さらに、図８の（ｆ）から図８の（ｇ）の遷移においては、Ｓ（Ｎ）＝５≠φであるため（図６におけるＳ２８にてＮＯ）、案内画面切替条件が充足されていると判定され、表示パネル１２はロック画面から案内画面に切り替わる。
【００６０】
（フリック方向に応じた動作例）  図７の（ａ）は、左フリックに応じた処理の一例を示すフローチャートである。図７の（ａ）に示す処理は、図６のＳ２７にて検出されたフリックの方向が右から左である場合に実行される処理である。ロック画面の背景画像として表示されている壁紙Ｗｉの番号ｉが、設定されている壁紙の総数Ｎ未満である場合（図７のＳ４１にてＹＥＳ）、切替判定部３は、番号ｉを１つインクリメント（＋１）する（Ｓ４２）。そして、ロック画面表示部４１は、表示されているロック画面の壁紙を、Ｓ４２にてインクリメントされた番号ｉの壁紙Ｗｉに切り替えて、ロック画面を表示する（Ｓ４３）。
【００６１】
一方、Ｓ４１にてＮＯの場合、切替判定部３は、表示されている壁紙Ｗｉの設定番号ｉを初期化（ｉ＝０）し（Ｓ４４）、Ｓ４２の処理に移行する。
【００６２】
図７の（ｂ）は、右フリックに応じた処理の一例を示すフローチャートである。図７の（ｂ）に示す処理は、図６のＳ２７にて検出されたフリックの方向が左から右である場合に実行される処理である。ロック画面の背景画像として表示されている壁紙Ｗｉの番号ｉが１でない場合（Ｓ５１にてＮＯ）、切替判定部３は、番号ｉを１つデクリメント（−１）する（Ｓ５２）。そして、ロック画面表示部４１は、表示されているロック画面の壁紙を、Ｓ５２にてデクリメントされた番号ｉの壁紙Ｗｉ（変更された番号ｉの壁紙Ｗｉ）に切り替えて、ロック画面を表示する（Ｓ５３）。
【００６３】
一方、Ｓ５１にてＹＥＳの場合、ロック画面の背景画像として表示されている壁紙Ｗｉの設定番号ｉをＮとして設定する（Ｓ５４）。そして、ロック画面表示部４１は、表示されているロック画面の壁紙を、Ｓ５４にてｉ＝Ｎとして設定された番号ｉの壁紙Ｗｉ（変更された番号ｉの壁紙Ｗｉ）に切り替えて、ロック画面を表示する（Ｓ５３）。
【００６４】
（効果）  上記の構成によれば、一般的な画像表示系アプリと同様に、フリックの向きに応じて、表示される壁紙の順番が、設定順または設定順とは逆順となる。このため、ユーザはより直観的に判りやすい操作で壁紙を切り替えることができる。また案内画面は壁紙が一巡したときに表示されるので、案内画面は目印にもなり、壁紙が一巡したことが判りやすくなるという効果も生まれる。なお、上記の構成によれば、ロック画面の背景画像として設定された全ての壁紙が表示された後に、案内画面が表示されるため、未使用時の誤動作を防止するとともに、ユーザにとって利便性が高いという効果を奏する。
【００６５】
〔実施形態３〕
（ソフトウェアによる実現例）  表示制御部１の制御ブロック（特に入力操作検出部２、切替判定部３、案内画面表示部４２およびカウント部５）は、集積回路（ＩＣチップ）等に形成された論理回路（ハードウェア）によって実現してもよいし、ＣＰＵ（Central Processing Unit）を用いてソフトウェアによって実現してもよい。
【００６６】
後者の場合、表示制御部１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６７】
〔まとめ〕
本発明の態様１に係る表示制御装置（表示制御部１）は、表示パネル（１２）に表示されているロック画面に対して、ユーザが行う所定の入力操作を検出する入力操作検出部（）２と、上記入力操作検出部が検出した上記所定の入力操作に基づいて、上記表示パネルに表示される画面を、上記ロック画面から、上記ロック画面の背景画像を設定する設定画面へユーザを案内する案内画面に切り替えるべき条件である案内画面切替条件が充足されているか否かを判定する切替判定部（３）と、上記切替判定部が、上記案内画面切替条件が充足されていると判定した場合に、上記案内画面を上記表示パネルに表示させる案内画面表示部（４２）と、を備えている。
【００６８】
上記の構成によれば、ロック画面に対する所定の入力操作に基づいて、表示パネルに表示される画面が、ロック画面から案内画面に切り替わる。このため、ロック画面のロックを解除して、ホーム画面に表示される各種項目の中からロック画面の壁紙を設定する設定画面を選択する必要がない。それゆえ、ユーザは、ロック画面に対して入力操作を行うことにより、ロック画面の壁紙の設定を変更することが可能となる。
【００６９】
本発明の態様２に係る表示制御装置は、上記態様１において、上記ロック画面の上記背景画像には、複数の壁紙が設定されており、上記複数の壁紙は、上記入力操作検出部により上記所定の入力操作が検出される毎に、切り替えられるようになっており、上記表示パネルが消灯している状態から点灯している状態に移行した後において、上記ロック画面の上記背景画像として設定されている上記壁紙の全てが、上記表示パネルに表示された場合に、上記切替判定部は、上記案内画面切替条件が充足されていると判定してもよい。
【００７０】
上記の構成によれば、ユーザは、ロック画面の背景画像として設定されている全ての壁紙を確認した後に、ロック画面に対して入力操作を行うことによりロック画面の壁紙の設定を変更することが可能となる。
【００７１】
本発明の態様３に係る表示制御装置は、上記態様１において、上記ロック画面の上記背景画像には、複数の壁紙が設定されており、上記複数の壁紙は、上記入力操作検出部により上記所定の入力操作が検出される毎に、切り替えられるようになっており、上記表示パネルが消灯している状態から点灯している状態に移行した後において、上記入力操作検出部により検出される上記所定の入力操作に応じて、上記表示パネルに表示される上記ロック画面の上記壁紙の枚数をカウントするカウント部（１）をさらに備え、上記カウント部によりカウントされたカウント数が、所定の数以上となる場合に、上記切替判定部は、上記案内画面切替条件が充足されていると判定してもよい。
【００７２】
上記の構成によれば、ユーザは、所定の枚数の壁紙を確認した後に、ロック画面に対して入力操作を行うことによりロック画面の壁紙の設定を変更することが可能となる。
【００７３】
本発明の態様４に係る表示制御装置は、上記態様１から３のいずれか１態様において、上上記入力操作検出部により検出される上記所定の入力操作は、上記表示パネルに表示されている上記ロック画面をめくることを示す操作であってもよい。
【００７４】
上記の構成によれば、ユーザは、ロック画面の壁紙を確認している際に、ロック画面の壁紙の設定を変更することが可能となる。それゆえ、ユーザは、ロック画面の壁紙を設定する設定画面を探す必要がなく、直感的にロック画面から設定画面への表示に切り替えることが可能となる。
【００７５】
本発明の態様５に係る表示制御方法は、表示パネルに表示されているロック画面に対して、ユーザが行う所定の入力操作を検出する入力操作検出ステップと、上記入力操作検出ステップにて検出された上記所定の入力操作に基づいて、上記表示パネルに表示される画面を、上記ロック画面から、上記ロック画面の背景画像を設定する設定画面へユーザを案内する案内画面に切り替えるべき条件である案内画面切替条件が充足されているか否かを判定する切替判定ステップと、上記切替判定ステップにて上記案内画面切替条件が充足されていると判定された場合に、上記案内画面を上記表示パネルに表示させる案内画面表示ステップと、を含む。上記の構成によれば、上記態様１と同様の効果を奏する。
【００７６】
本発明の態様６に係る携帯端末（１０）は、上記態様１から４のいずれか一態様における表示制御装置を備えていていもよい。上記の構成によれば、上記態様１から４のいずれか一態様と同様の効果を奏する。
【００７７】
本発明の各態様に係る表示制御装置は、コンピュータによって実現してもよく、この場合には、コンピュータを上記表示制御装置が備える各部（ソフトウェア要素に限る）として動作させることにより上記表示制御装置をコンピュータにて実現させる表示制御装置の制御プログラム、およびそれを記録したコンピュータ読み取り可能な記録媒体も、本発明の範疇に入る。
【００７８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７９】
本発明は、各種情報を表示する表示パネルと、入力操作を検知するセンサとを備えている携帯端末（例えば、タッチパネルを備えている携帯電話機・携帯型パーソナルコンピュータ、タッチパネルを備えていない携帯電話機・携帯型パーソナルコンピュータ）に利用することができる。
【符号の説明】
【００８０】
１  表示制御部（表示制御装置）、２  入力操作検出部、３  切替判定部、４  表示部、５  カウント部、４２  案内画面表示部、１０  携帯端末
【図１】
0006342297.tif 000002
【図２】
0006342297.tif 000003
【図３】
0006342297.tif 000004
【図４】
0006342297.tif 000005
【図５】
0006342297.tif 000006
【図６】
0006342297.tif 000007
【図７】
0006342297.tif 000008
【図８】
0006342297.tif 000009